(57)【要約】【課題】利用者が手間をかけずにレーティング設定を柔軟に変更することができるレーティング設定方法を提供することを目的とする。【解決手段】端末装置１０は、インターネットを介してアクセス可能なコンテンツに対するアクセス制限のレベルを示すレーティング設定を記憶するレーティング設定保持部５と、ユーザがアクセスしているコンテンツに関する情報および当該コンテンツへのアクセス状況に応じてレーティング設定を更新するデータ解析部３とを備える。【選択図】図３
2014170287.tif 000002
【特許請求の範囲】
【請求項１】
インターネットを介してアクセス可能なコンテンツに対するアクセス制限のレベルを示すレーティング設定を記憶し、
ユーザがアクセスしているコンテンツに関する情報および当該コンテンツへのアクセス状況に応じて前記レーティング設定を更新する
ことを特徴とするレーティング設定方法。
【請求項２】
レーティング設定よりも厳しい設定であっても許可されるコンテンツへのアクセスが所定時間以上継続した場合、前記レーティング設定のアクセス制限のレベルを厳しくする
請求項１記載のレーティング設定方法。
【請求項３】
レーティング設定において許容されているコンテンツへのアクセスが所定期間ない場合、前記レーティング設定のアクセス制限のレベルを緩やかにする
請求項１または請求項２記載のレーティング設定方法。
【請求項４】
ユーザがアクセスしたコンテンツに含まれる文字列に基づいて当該コンテンツを特定し、予め記憶された、各コンテンツに対応するレーティングレベルを示すレーティング情報を抽出し、当該レーティング情報および当該コンテンツへのアクセス状況に応じて前記レーティング設定を更新する
請求項１から請求項３のうちのいずれか１項に記載のレーティング設定方法。
【請求項５】
インターネットを介してアクセス可能なコンテンツに対するアクセス制限のレベルを示すレーティング設定を記憶するレーティング設定保持部と、
ユーザがアクセスしているコンテンツに関する情報および当該コンテンツへのアクセス状況に応じて前記レーティング設定を更新するデータ解析部とを備えた
ことを特徴とする端末装置。
【請求項６】
レーティング設定よりも厳しい設定であっても許可されるコンテンツへのアクセスが所定時間以上継続した場合、前記レーティング設定のアクセス制限のレベルを厳しくする
請求項５記載の端末装置。
【請求項７】
コンピュータに、
インターネットを介してアクセス可能なコンテンツに対するアクセス制限のレベルを示すレーティング設定を記憶するレーティング設定保持処理と、
ユーザがアクセスしているコンテンツに関する情報および当該コンテンツへのアクセス状況に応じて前記レーティング設定を更新するデータ解析処理とを
実行させるためレーティング設定プログラム。
【請求項８】
データ解析処理では、レーティング設定よりも厳しい設定であっても許可されるコンテンツへのアクセスが所定時間以上継続した場合、前記レーティング設定のアクセス制限のレベルを厳しくする
請求項７記載のレーティング設定プログラム。
【発明の詳細な説明】
【技術分野】
【０００１】
本発明は、ペアレンタルコントロール用のレーティング設定方法、端末装置およびレーティング設定プログラムに関する。
【背景技術】
【０００２】
親は、子が使う端末装置などに対し、有害サイト等へのアクセス制限をするためにペアレンタルコントロールの設定をすることが一般的に行われている。
【０００３】
例えば、特許文献１には、エンターテインメントコンテンツへの複数ユーザのアクセスの親による制限を可能にするエンターテインメントデジタルメディア用のペアレンタルコントロールに関する技術が開示されている。
【０００４】
また、非特許文献１には、ゲームソフトに関する年齢別のアクセス制限に関する規定であるレーティング制度が開示されている。
【先行技術文献】
【特許文献】
【０００５】
【特許文献１】２００５−１１５９２８号公報
【非特許文献】
【０００６】
【非特許文献１】“レーティング制度”、[online]、特定非営利活動法人コンピュータエンターテインメントレーティング機構、[2013年2月21日検索]、インターネット<URL：http://www.cero.gr.jp/rating.html>
【発明の概要】
【発明が解決しようとする課題】
【０００７】
しかし、一般的なレーティング設定技術では、利用者（例えば親）が予めレーティング情報を設定し、アクセス制限する必要があったので、手間がかかるという課題がある。また、一度決めたレーティング設定を柔軟に変更することができないという課題がある。
【０００８】
そのため、親は、ペアレンタルコントロールの設定をする必要があるのはわかってはいるのだが、全ての端末装置もしくはゲーム機器に対して設定することを億劫に思い、設定をしないこともある。また、親の使用環境を用いて子供がネットワークアクセスする場合などは、ペアレンタルコントロールは施されていないことが多い。このような場合、子が一時的に有害なサイトにアクセスすることがある。
【０００９】
そこで、本発明は、利用者が手間をかけずにレーティング設定を柔軟に変更することができるレーティング設定方法、端末装置およびレーティング設定プログラムを提供することを目的とする。
【課題を解決するための手段】
【００１０】
本発明によるレーティング設定方法は、インターネットを介してアクセス可能なコンテンツに対するアクセス制限のレベルを示すレーティング設定を記憶し、ユーザがアクセスしているコンテンツに関する情報および当該コンテンツへのアクセス状況に応じて前記レーティング設定を更新することを特徴とする。
【００１１】
本発明による端末装置は、インターネットを介してアクセス可能なコンテンツに対するアクセス制限のレベルを示すレーティング設定を記憶するレーティング設定保持部と、ユーザがアクセスしているコンテンツに関する情報および当該コンテンツへのアクセス状況に応じて前記レーティング設定を更新するデータ解析部とを備えたことを特徴とする。
【００１２】
本発明によるレーティング設定プログラムは、コンピュータに、インターネットを介してアクセス可能なコンテンツに対するアクセス制限のレベルを示すレーティング設定を記憶するレーティング設定保持処理と、ユーザがアクセスしているコンテンツに関する情報および当該コンテンツへのアクセス状況に応じて前記レーティング設定を更新するデータ解析処理とを実行させることを特徴とする。
【発明の効果】
【００１３】
本発明によれば、利用者が手間をかけずにレーティング設定を柔軟に変更することができる。
【図面の簡単な説明】
【００１４】
【図１】本発明による実施形態のレーティング設定方法を用いたシステムの構成を示すブロック図である。
【図２】本発明による実施形態のレーティング設定方法の動作を示すフローチャートである。
【図３】本発明による端末装置の主要部を示すブロック図である。
【発明を実施するための形態】
【００１５】
本発明によるレーティング設定方法の実施形態を、図面を参照して説明する。図１は、本実施形態のレーティング設定方法を用いたシステムの構成を示すブロック図である。
【００１６】
図１に示すように、本実施形態のレーティング設定方法を用いたシステムは、端末装置１０と、データ検索処理部２と、レーティング情報ＤＢ４とを備える。端末装置１０は、入力部１と、表示処理部６と、レーティング設定保持部５と、データ解析部３とを含む。
【００１７】
入力部１は、キーボード、またはタッチ操作可能なパネル等である。または、有線もしくは無線通信により外部装置から入力内容を受信するインタフェースであってもよい。
【００１８】
データ検索処理部２は、インターネットなどのネットワーク回線を通じて入力部１からの入力情報を受け取り、その入力情報に対応するコンテンツ（ＷＥＢ上のサイト等）の検索処理を行う。データ検索処理部２は、検索が完了すると、検索結果を端末装置１０に送信し、表示処理部６にサイトが表示される。このデータ検索処理部２は、例えば、ｇｏｏｇｌｅ（登録商標）またはｙａｈｏｏ（登録商標）等の検索サイトにあるものとする。
【００１９】
表示処理部６は、データ検索処理部２から受け取った検索結果と、レーティング設定保持部５から受け取ったレーティング設定を入力し、データ検索結果の表示内容の順位変更や隠蔽処理等を行う。表示処理部６は、処理した表示内容を、例えば、液晶ディスプレイ等の図示しない表示装置に表示させる。
【００２０】
データ解析部３は、ユーザがアクセスしているサイトがレーティング情報を持つかどうかを判定する。そして、データ解析部３は、そのサイトへのそのアクセス時間が一定時間を超えた場合、後述するレーティング設定保持部５のレーティング設定を更新する。データ解析部３は、例えば、特定の演算処理等を行うよう設計されたハードウェア、またはプログラムに従って動作するＣＰＵ（Ｃｅｎｔｒａｌ  Ｐｒｏｃｅｓｓｉｎｇ  Ｕｎｉｔ）等の情報処理装置によって実現される。
【００２１】
レーティング情報ＤＢ４は、ゲームや音楽、映画などのソフト名に対応づけられたレーティング情報を記憶している。レーティング情報ＤＢ４は、図１に示す例では、端末装置１０の外部にあるが、端末装置１０の内部にあってもよい。レーティング情報ＤＢ４は、例えば、一般的なＨＤＤ（Ｈａｒｄ  Ｄｉｓｋ  Ｄｒｉｖｅ）等の記憶装置に記憶されている。
【００２２】
レーティング設定保持部５は、端末装置１０のレーティング設定を記憶している。レーティング設定は、インターネット上のコンテンツに対するアクセス制限のレベルを示す設定である。レーティング設定保持部５は、例えば、一般的なＨＤＤ（Ｈａｒｄ  Ｄｉｓｋ  Ｄｒｉｖｅ）等の記憶装置に記憶されている。
【００２３】
次に、本実施形態のレーティング設定方法の動作を説明する。図２は、本実施形態のレーティング設定方法の動作を示すフローチャートである。
【００２４】
例えばユーザが、入力部１にゲームの攻略法を検索するために、ゲーム名の一部または略称等を含む文字列を入力する。そして、データ検索処理部２は、入力部１からその文字列を受け取り、検索処理を行う（ステップＳ１）。
【００２５】
表示処理部６は、データ検索処理部２から取得した検索結果と、レーティング設定保持部５が持つレーティング設定に基づいて、表示内容に対して順位変更や隠蔽処理を行った上で検索結果をＷｅｂブラウザ等に一覧表示する（ステップＳ２）。例えば表示処理部６は、レーティング設定により制限されているサイトの検索順位を低くする処理、表示しない処理等を行う。また、表示処理部６は、時間帯別に順位変更や隠蔽処理を行ったり、一定期間のみ順位変更や隠蔽処理を行ってもよい。そして、ユーザは、表示されたサイトのどれかにアクセスする（ステップＳ３）。
【００２６】
データ解析部３は、ユーザがアクセスしたサイトの持つデータを解析する。例えば、ユーザがゲームの攻略サイトにアクセスした場合、すなわちそのサイト情報に「ゲーム」「攻略」などの文字列を含む場合、サイト情報からゲーム名称を推測する。そして、データ解析部３は、その推測したゲーム名称を入力してレーティング情報ＤＢ４に問合せを行う。データ解析部３は、そのゲームに対応付けられているレーティング情報をレーティング情報ＤＢ４から抽出する。
【００２７】
データ解析部３は、レーティング設定保持部５から端末装置１０が持つレーティング設定を取得して保持する。そして、データ解析部３は、ゲームが持つレーティング情報とアクセス状況に基づいてレーティング設定を更新する。データ解析部３は、例えば、端末装置１０から特定のサイトへのアクセス経過時間が一定時間を経過した場合、端末装置１０を操作するユーザがそのゲームを保持している、すなわちユーザはそのゲームのレーティングレベルに属する可能性が高いものとみなす（ステップＳ４）。そして、データ解析部３は、そのレーティングレベルを考慮してレーティング設定を更新する（ステップＳ５）。データ解析部３は、更新したレーティング設定をレーティング設定保持部５に保存する。
【００２８】
次に、データ解析部３は、データ検索処理部２から受け取った検索結果と、更新後のレーティング設定を表示処理部６に送る。表示処理部６は、受け取った検索結果と更新後のレーティング設定とに基づいて、表示内容に対して順位変更や隠蔽処理を行った上で、表示処理を行う。
【００２９】
データ解析部３は、アクセス時間等によりレーティング設定を柔軟に変更する処理を行ってもよい。データ解析部３は、各レーティングレベルのサイトへのアクセス時間等を、アクセス履歴によって統計情報として管理する。データ解析部３は、例えば、レーティングレベルは、レーティング設定において許容されているレベルのサイトへのアクセスが所定期間ない場合、一段階設定レベルを下げる（緩くする）。この所定期間は、月単位、または週単位等で予め定められた期間である。また、データ解析部３は、設定されているレーティング設定において許容されているレベルのサイトへのアクセスがある場合、レーティングレベルを下げるための所定期間を延長してもよい。
【００３０】
また、データ解析部３は、例えば、設定されているレーティングレベルより一段階緩やかなレーティングレベルのコンテンツ（つまり現在のレーティング設定よりも厳しい設定であっても許可されるコンテンツ）へのアクセスがある場合は、一段階設定レベルを上げる（厳しくする）。また、データ解析部３は、この場合、上記所定期間を更新してもよい。
【００３１】
このように、データ解析部３は、ユーザのアクセス状況に応じて、レーティング設定を上げるだけでなく、下げることもできる。よって、例えば、複数のユーザが同じ端末装置を利用する場合であっても、主に使うユーザに合わせたレーティングレベルに設定することができる。
【００３２】
また、レーティング設定保持部５は、レーティングレベルを休日と平日で区別してよく、曜日別、時間帯別等で保持していてもよい。また、レーティング設定保持部５は、レーティングレベルを、音楽、映画、ゲームなどメディア毎に持っていてもよく、全体のレーティングレベルをグローバル値としても持っていてもよい。
【００３３】
レーティング設定保持部５におけるレーティング設定が、変更されないように固定であってもよい。メディア毎のレーティグレベルが、他メディアのレーティングレベルに連動して変更されてもよい。また、端末装置１０は、ゲーム機器等に設定されたレーティングレベルを、ネットワークを通して自動的に取得してレーティング設定保持部５に設定してもよい。
【００３４】
（実施例）
以下、本実施形態のレーティング設定方法の実施例を説明する。なお、実施例のレーティング情報として、非特許文献１に記載されているゲームソフトに関するレーティング制度を用いる。このレーティング制度では、レーティングレベルは、対象年齢に応じてＡ、Ｂ、Ｃ、Ｄ、Ｚという５つの区分に分かれている。Ａが全年齢対象であり、Ｂが１２才以上対象であり、Ｃが１５才以上対象であり、Ｄが１７才以上対象であり、Ｚが１８才以上対象である。
【００３５】
例えば、ユーザが、入力部１にゲームの攻略法を検索するために、ゲーム名の一部または略称等を含む入力文字列を入力する。そして、データ検索処理部２は、入力部１からその入力文字列を受け取り、検索処理を行う。
【００３６】
例えば、レーティング設定保持部５が、Ａ、ＢおよびＣのゲームのみ許可する設定を保持している場合、表示処理部６は、レーティングレベルがＤおよびＺであるゲームに関する表示順位を下げる処理、表示しない処理を行う。
【００３７】
データ解析部３は、ユーザがアクセスしたサイトの持つデータを解析する。例えばサイトに「ゲーム１」という文字列が含まれる場合、「ゲーム１」というゲーム名称を推測し、その名称を入力してレーティング情報ＤＢ４に問い合わせを行う。データ解析部３は、レーティング情報ＤＢ４から、「ゲーム１」というゲームのレーティングレベルが「Ａ」であるという結果を得たとする。
【００３８】
データ解析部３は、レーティング設定保持部５から端末装置１０が持つレーティング設定を取得して保持する。このレーティング設定は、前述したようにＡ、ＢおよびＣのゲームのみ許可する設定である。データ解析部３は、端末装置１０が、レーティングレベルが「Ａ」である「ゲーム１」に関するサイトへのアクセス経過時間が例えば１時間以上を経過した場合、ユーザはレーティングレベルが「Ａ」に属する可能性が高いものとする。この場合、データ解析部３は、レーティング設定を１段階上げる（厳しくする）。つまり、データ解析部３は、レーティングレベルＡおよびＢのゲームのみ許可する設定に変更する。
【００３９】
データ解析部３は、再度ユーザから検索が行われた場合、データ検索処理部２から受け取った検索結果と、更新後のレーティング設定を表示処理部６に送る。表示処理部６は、レーティングレベルＡおよびＢのゲームのみ許可する設定になっているため、レーティングレベルがＣ，ＤおよびＺであるゲームに関する表示順位を下げる処理、表示しない処理を行う。
【００４０】
また、その後、レーティングレベルが「Ａ」および「Ｂ」であるサイトへのアクセスが１週間以上なかった場合、データ解析部３は、ユーザのレーティングレベルが「Ｃ」以上に属する可能性が高いと判定する。この場合、データ解析部３は、レーティング設定を１段階下げる（緩くする）。つまり、データ解析部３は、レーティングレベルＡ、ＢおよびＣのゲームを許可する設定に変更する。
【００４１】
本実施形態のレーティング設定方法によれば、ユーザが特にレーティングレベルを設定しなくても、検索ワード及びサイトへのアクセス頻度等のアクセス状況に基づいて、柔軟にレーティングレベルを設定できる。つまり、利用者が手間をかけずにレーティング設定を自動変更することができるので、ペアレンタルコントロールを容易にできる。
【００４２】
例えば、親が本実施形態のレーティング設定方法を用いることにより、子供が一時的に有害なサイトにアクセスしたとしても、次回からは自動的にアクセスができなくすることができるので、子供を有害なサイトから守ることができる。また、本実施形態のレーティング設定方法は、例えば子供が一時的に親の端末装置を使用したが、その後子供が使用していないと思われる場合は、元の設定に戻す、つまりアクセス制限を緩やかにすることもできる。
【００４３】
図３は、本発明による端末装置の主要部を示すブロック図である。端末装置１０は、インターネットを介してアクセス可能なコンテンツに対するアクセス制限のレベルを示すレーティング設定を記憶するレーティング設定保持部５と、ユーザがアクセスしているコンテンツに関する情報および当該コンテンツへのアクセス状況に応じてレーティング設定を更新するデータ解析部３とを備える。
【００４４】
また、上記の実施形態には以下の（１）〜（４）に示す端末装置も開示されている。
【００４５】
（１）データ解析部（例えば、データ解析部３）が、レーティング設定よりも厳しい設定であっても許可されるコンテンツへのアクセスが所定時間以上継続した場合、レーティング設定のアクセス制限のレベルを厳しくする端末装置。このような端末装置によれば、子供が一時的に有害なサイトにアクセスしたとしても、次回からは自動的にアクセスができなくすることができる。
【００４６】
（２）端末装置は、データ解析部が、レーティング設定において許容されているコンテンツへのアクセスが所定期間ない場合、レーティング設定のアクセス制限のレベルを緩やかにするように構成されていてもよい。このような端末装置によれば、例えば子供が一時的に親の端末装置を使用したが、その後子供が使用していないと思われる場合は、元の設定に戻す、つまりアクセス制限を緩やかにすることもできる。
【００４７】
（３）端末装置は、データ解析部が、ユーザがアクセスしたコンテンツに含まれる文字列に基づいて当該コンテンツを特定し、予め記憶された、各コンテンツに対応するレーティングレベルを示すレーティング情報を抽出し、当該レーティング情報および当該コンテンツへのアクセス状況に応じてレーティング設定を更新する。このような端末装置によれば、ユーザのアクセス状況およびアクセスしたコンテンツのレーティングレベルを自動的に取得できる。そのため、利用者が手間をかけずにレーティング設定を自動変更することができるので、ペアレンタルコントロールを容易にできる。
【産業上の利用可能性】
【００４８】
本発明は、レーティング設定が可能な端末装置に適用可能である。特に、レーティング設定を自動変更しても金銭や品質等の問題が発生しない分野に特に効果的である。
【符号の説明】
【００４９】
１  入力部
２  データ検索処理部
３  データ解析部
４  レーティング情報ＤＢ
５  レーティング設定保持部
６  表示処理部
１０  端末装置
【図１】
2014170287.tif 000003
【図２】
2014170287.tif 000004
【図３】
2014170287.tif 000005